(57)【要約】  第１の移動端末群は、第２のセルの無線品質を測定して第１の基地局に測定情報を送信する第１の測定情報送信手段を含み、第２の移動端末群は、第１のセルの無線品質を測定して第２の基地局に測定情報を送信する第２の測定情報送信手段を含み、隣接セルリスト最適化システムは、第１および第２のセルの測定情報を収集する測定情報収集手段と、第２のセルの測定情報の信頼度を評価する処理を行う信頼度評価手段と、信頼度が所定の閾値以下のとき、第１のセルの測定情報に基づいて第１のセルの隣接セルリストに第２のセルを登録する優先度を算出する優先度算出手段と、優先度に基づいて登録する隣接セルを決定し、隣接セルリストを更新する制御を行う隣接セルリスト更新手段とを含む。
2011158501.tif 000002
【特許請求の範囲】
【請求項１】
第１の移動端末群と、
前記第１の移動端末群が存在する第１のセルを管理する第１の基地局と、
前記第１のセルに隣接する第２のセルに存在する第２の移動端末群と、
前記第２のセルを管理する第２の基地局と、
前記第１の移動端末群のハンドオーバ先の候補となる特定の隣接セルを登録した隣接セルリストを管理する隣接セルリスト最適化システムとを備え、
前記第１の移動端末群は、前記第２のセルの無線品質を測定して、前記第１の基地局に前記第２のセルの測定情報を送信する第１の測定情報送信手段を含み、
前記第２の移動端末群は、前記第１のセルの無線品質を測定して、前記第２の基地局に前記第１のセルの測定情報を送信する第２の測定情報送信手段を含み、
前記隣接セルリスト最適化システムは、
前記第１の基地局から前記第２のセルの測定情報を収集し、前記第２の基地局から前記第１のセルの測定情報を収集する測定情報収集手段と、
前記第２のセルの測定情報の信頼度を評価する処理を行う信頼度評価手段と、
前記信頼度が所定の閾値以下のとき、前記第１のセルの測定情報に基づいて、前記第１のセルの隣接セルリストに前記第２のセルを登録する優先度を算出する優先度算出手段と、
前記優先度算出手段が算出した優先度に基づいて、前記隣接セルリストに登録する隣接セルを決定し、前記隣接セルリストを更新する制御を行う隣接セルリスト更新手段とを
含むことを特徴とする無線通信システム。
【請求項２】
信頼度評価手段は、所定の集計期間において第２のセルの測定情報の受信数を集計し、集計した受信数に基づいて前記第２のセルの測定情報の信頼度を評価する処理を行う
請求項１記載の無線通信システム。
【請求項３】
優先度算出手段は、信頼度が所定の閾値以下のとき、所定の集計期間において第１のセルの測定情報の受信数を集計し、集計した受信数に基づいて第２のセルの優先度を算出する
請求項１または請求項２記載の無線通信システム。
【請求項４】
優先度算出手段は、信頼度が所定の閾値以下のとき、第１のセルの測定情報の受信数に基づき算出した第１の優先度と、所定の集計期間において第２のセルの測定情報の受信数を集計し、集計した受信数に基づき算出した第２の優先度とを加重平均し、該第２の優先度の加重平均値に基づいて前記第２のセルの優先度を算出する
請求項３記載の無線通信システム。
【請求項５】
優先度算出手段は、第２のセルの測定情報の信頼度に基づいて加重平均の加重係数を決定する
請求項４記載の無線通信システム。
【請求項６】
優先度算出手段は、第１のセルが設置された後の経過時間に基づいて加重平均の加重係数を決定する
請求項４記載の無線通信システム。
【請求項７】
第１の移動端末群が存在する第１のセルを管理する第１の基地局に設定され、前記第１のセルに隣接して第２の移動端末群が存在する第２のセルのうち、前記第１の移動端末群のハンドオーバ先の候補となる特定の隣接セルを登録した隣接セルリストを更新する隣接セルリスト最適化システムであって、
前記第１の移動端末群が前記第１の基地局に送信した、前記第２のセルの無線品質の測定情報と、前記第２のセルに存在する前記第２の移動端末群が前記第２のセルを管理する第２の基地局に送信した、前記第１のセルの無線品質の測定情報とを収集する測定情報収集手段と、
前記第２のセルの測定情報の信頼度を評価する処理を行う信頼度評価手段と、
前記信頼度が所定の閾値以下のとき、前記第１のセルの測定情報に基づいて、前記第１のセルの隣接セルリストに前記第２のセルを登録する優先度を算出する優先度算出手段と、
前記優先度算出手段が算出した優先度に基づいて、前記隣接セルリストに登録する隣接セルを決定し、前記隣接セルリストを更新する制御を行う隣接セルリスト更新手段とを
含むことを特徴とする隣接セルリスト最適化システム。
【請求項８】
第１の移動端末群が存在する第１のセルを管理し、自局に設定され、前記第１の移動端末群のハンドオーバ先の候補となる特定の隣接セルが登録された隣接セルリストを更新する第１の基地局であって、
前記第１のセルに隣接して第２の移動端末群が存在する第２のセルを管理する第２の基地局に接続し、前記第１の移動端末群が当該基地局に送信した、前記第２のセルの無線品質の測定情報と、前記第２の移動端末群が前記第２の基地局に送信した、前記第１のセルの無線品質の測定情報とを収集する測定情報収集手段と、
前記第２のセルの測定情報の信頼度を評価する処理を行う信頼度評価手段と、
前記信頼度が所定の閾値以下のとき、前記第１のセルの測定情報に基づいて、前記第１のセルの隣接セルリストに前記第２のセルを登録する優先度を算出する優先度算出手段と、
前記優先度算出手段が算出した優先度に基づいて、前記隣接セルリストに登録する隣接セルを決定し、前記隣接セルリストを更新する制御を行う隣接セルリスト更新手段とを
備えたことを特徴とする基地局。
【請求項９】
第１の移動端末群が存在する第１のセルを管理する第１の基地局に設定され、前記第１のセルに隣接して第２の移動端末群が存在する第２のセルのうち、前記第１の移動端末群のハンドオーバ先の候補となる特定の隣接セルを登録した隣接セルリストを更新する隣接セルリスト更新方法であって、
前記第１の移動端末群が前記第１の基地局に送信した、前記第２のセルの無線品質の測定情報と、前記第２のセルに存在する前記第２の移動端末群が前記第２のセルを管理する第２の基地局に送信した、前記第１のセルの無線品質の測定情報とを収集し、
収集した前記第２のセルの測定情報の信頼度を評価する処理を行い、
評価した前記信頼度が所定の閾値以下のとき、前記第１のセルの測定情報に基づいて、前記第１のセルの隣接セルリストに前記第２のセルを登録する優先度を算出し、
算出した優先度に基づいて、前記隣接セルリストに登録する隣接セルを決定し、前記隣接セルリストを更新する制御を行う
ことを特徴とする隣接セルリスト更新方法。
【請求項１０】
第１の移動端末群が存在する第１のセルを管理する第１の基地局に設定され、前記第１のセルに隣接して第２の移動端末群が存在する第２のセルのうち、前記第１の移動端末群のハンドオーバ先の候補となる特定の隣接セルを登録した隣接セルリストを更新させるための隣接セルリスト更新プログラムであって、
コンピュータに、
前記第１の移動端末群が前記第１の基地局に送信した、前記第２のセルの無線品質の測定情報と、前記第２のセルに存在する前記第２の移動端末群が前記第２のセルを管理する第２の基地局に送信した、前記第１のセルの無線品質の測定情報とを収集する測定情報収集処理と、
収集した前記第２のセルの測定情報の信頼度を評価する処理を行う信頼度評価処理と、
評価した前記信頼度が所定の閾値以下のとき、前記第１のセルの測定情報に基づいて、前記第１のセルの隣接セルリストに前記第２のセルを登録する優先度を算出する優先度算出処理と、
算出した優先度に基づいて、前記隣接セルリストに登録する隣接セルを決定し、前記隣接セルリストを更新する制御を行う隣接セルリスト更新処理とを
実行させるための隣接セルリスト更新プログラム。
【発明の詳細な説明】
【技術分野】
【０００１】
本発明は、隣接セルリストを更新する無線通信システム、隣接セルリスト最適化システム、基地局および隣接セルリスト更新方法および隣接セルリスト更新プログラムに関する。
【背景技術】
【０００２】
一般に、無線通信システムは、図８に示すように、移動端末１０と、無線基地局３０と、移動通信コア網５０と、ネットワーク監視システム９０とを含む。【０００３】
移動端末１０は、無線基地局３０との間で、通信トラフィックや制御トラフィックなどのデータの送受信を行う。【０００４】
無線基地局３０は、移動端末１０と、有線リンク４０を介して接続された移動通信コア網５０との間でデータの送受信を行う。なお、無線基地局３０の周囲には、移動端末１０との無線リンク２０が有効な範囲として無線セル３５が設けられる。【０００５】
無線基地局３０は、自局の周囲に設けられた無線セル３５を管理する。移動端末１０は、無線基地局３０が管理する無線セル３５に存在し、無線基地局３０との間でデータの送受信を行う。【０００６】
移動通信コア網５０は、不図示の交換局やサーバ装置によって実現される。移動通信コア網５０は、無線基地局３０と有線リンク４０を介して接続されるとともに、外部網７０と有線リンク６０を介して接続され、無線基地局３０および外部網７０との間でデータの送受信を行う。【０００７】
ネットワーク監視システム９０は、有線リンク８０を介して無線基地局３０と接続されるとともに、有線リンク８１を介して移動通信コア網５０と接続され、無線通信システムの品質監視、故障監視および構成管理などを行う。【０００８】
このような無線通信システムにおいては、サービス対象とするサービスエリア全域において所要の通信品質を満たすために、無線基地局３０の無線パラメータを適切に設定することが求められる。この無線パラメータの例としては、無線基地局３０の総送信電力、無線基地局アンテナの垂直・水平面での傾き角、隣接セルリスト、ハンドオーバ閾値、などが代表的である。以下では、無線基地局３０に無線パラメータとして隣接セルリストを設定するものとして説明する。【０００９】
ここで、隣接セルリストについて説明する。無線通信システムにおいては、無線セルをサービスエリア全域に面的に配置することで、サービスの提供が行われる。移動端末１０は、接続先の無線セルから他の無線セルに移動する際に、ハンドオーバと呼ばれる接続先の無線セルの切り替え処理を行う。以下、移動端末が無線セルに接続するとの表現を用いるが、具体的には、移動端末が無線セルを管理する無線基地局に接続することである。また、ハンドオーバの処理とは、具体的には、移動端末の接続先を他の無線セルを管理する無線基地局に切り替えることである。【００１０】
このハンドオーバの処理は、具体的には、次のように実現される。接続先の無線セルおよびその無線セルに隣接する隣接セルの無線品質を測定し、接続先の無線セルの無線品質が劣化したら、測定した無線セルおよび隣接セルの無線品質を接続先の無線セルを管理する無線基地局３０に送信（以下、報告とも呼ぶ）するように予め移動端末１０に設定（以下、指示とも呼ぶ）しておく。そして、移動端末１０からの報告があった時点で無線基地局３０がハンドオーバ先の無線セルを判断することにより実現する。【００１１】
このとき、移動端末１０の負荷を軽減してハンドオーバを高速に処理するため、ハンドオーバ先の無線セルの候補を、隣接セルのうち特定のセルに限定する方式が一般に用いられる。ここで、ハンドオーバ先の無線セルの候補を示すのが隣接セルリストである。隣接セルリストは、無線セルごとに通信事業者が無線セルを登録することで生成され、その無線セルを管理する無線基地局３０から下り回線を介して移動端末１０に送信（以下、報知とも呼ぶ）される。以下では、隣接セルのうち、隣接セルリストに登録されている無線セルをＬｉｓｔｅｄ  Ｃｅｌｌと称し、隣接セルリストに登録されていない無線セルをＤｅｔｅｃｔｅｄ  Ｃｅｌｌと称する。【００１２】
ここで、移動端末１０が無線基地局３０に測定情報を報告する際の動作条件として、非特許文献１に記載された数式（１）を用いる例について説明する。【００１３】
Ｐｓ＋Ｏｓ＜Ｐｔ＋Ｏｔ    数式（１）【００１４】
Ｐｓ、Ｐｔは、それぞれ接続先の無線セルを管理する無線基地局３０と、隣接セルを管理する無線基地局３０（以下、隣接基地局３０とも呼ぶ）とから送信されたパイロット信号の受信電力を示す。Ｏｓ、Ｏｔは、いずれも受信電力のオフセット値である。Ｏｓは、接続先の無線セルを管理する無線基地局３０から送信されたパイロット信号の受信電力に作用する。また、Ｏｔは、隣接基地局３０から送信されたパイロット信号の受信電力に作用する。なお、Ｏｔには、隣接セルごとに異なる値を設定することができる。【００１５】
無線基地局３０に数式（１）の動作条件が設定されると、その無線基地局３０は、管理する無線セルに接続する移動端末１０に対して、数式（１）の動作条件を送信（以下、通知とも呼ぶ）する。移動端末１０は、接続先の無線セルを管理する無線基地局３０と隣接基地局３０とが送信したパイロット信号の受信電力が数式（１）の条件を満たすことをトリガとして、無線基地局３０に隣接基地局３０が送信したパイロット信号の測定情報を報告する。【００１６】
なお、以下では、数式（１）の条件を満たすことが、無線基地局３０に測定情報を報告するトリガとなるため、数式（１）をトリガ条件と呼ぶことがある。さらに、数式（１）を数式（２）のように書き換えて、パラメータＴｈＨＯをハンドオーバの判定閾値（ハンドオーバ閾値）と呼ぶことがある。これは、数式（１）が、ハンドオーバの実行判定を行う際に接続先の無線セルの通信品質が劣化したことを移動端末１０から無線基地局３０に報告するトリガ条件として用いられるからである。【００１７】
Ｐｔ−Ｐｓ＞ＴｈＨＯ
ＴｈＨＯ＝Ｏｓ−Ｏｔ    数式（２）【００１８】
このような動作条件に従って、移動端末１０から測定情報の報告を受けた無線基地局３０は、一般に、無線品質が報告されたＬｉｓｔｅｄ  Ｃｅｌｌの中からハンドオーバ先の無線セルを判断する。そのため、通常、移動端末１０は、Ｄｅｔｅｃｔｅｄ  Ｃｅｌｌにはハンドオーバできない。したがって、隣接セルリストに無線セルの登録漏れがあると、適切な無線セルにハンドオーバできずに途中で異常切断が生じたり、不適切な無線セルにハンドオーバすることで通信品質が劣化したりするおそれがある。そのため、登録漏れのない隣接セルリストを如何に生成するかが、良好な通信品質を確保するうえで重要となる。【００１９】
一方で、隣接セルリストの報知に要する回線の負荷および無線品質の測定・報告に要する移動端末１０の負荷を抑えるために、通常、隣接セルリストに登録される無線セル数には上限（ＬＭａｘ）が設けられている。したがって、主要な無線セルが隣接セルリストに登録されるように、通信品質の向上に寄与する可能性が高い無線セルから優先的に隣接セルリストに登録する必要がある。【００２０】
一般に、隣接セルリストの設定には高度な技術を要し、無線通信システムのサービスエリアにおける走行試験の結果などに基づき、最適化が行われていた。しかし、近年、無線通信システムの運用中に自律的に隣接セルリストを最適化する隣接セルリスト最適化システムが検討されている。【００２１】
図９は、隣接セルリスト最適化システムを備えた無線通信システムの構成の一例を示す図である。図９に示す無線通信システムは、移動端末１０と、無線基地局３０と、移動通信コア網５０と、ネットワーク監視システム９０と、隣接セルリスト最適化システム９５とを含む。なお、図９において、図８と同様の構成については同じ符号を付して説明を省略する。【００２２】
隣接セルリスト最適化システム９５は、有線リンク８２を介してネットワーク監視システム９０と接続され、無線基地局３０が管理する無線セル３５に対する隣接セルリストの最適化を行う。【００２３】
非特許文献２および特許文献１には、隣接セルリスト最適化システムによる隣接セルリスト更新方法が記載されている。【００２４】
図１０は、非特許文献２等に記載されている隣接セルリスト更新方法を示す説明図である。なお、非特許文献２に記載された方法においては、移動端末は、無線品質として無線基地局から送信されたパイロット信号の受信電力を測定し、接続先の無線セルを管理する無線基地局に報告する。【００２５】
非特許文献２に記載された隣接セルリスト更新方法では、隣接セルリストに登録されたＬｉｓｔｅｄ  Ｃｅｌｌごとに、そのＬｉｓｔｅｄ  Ｃｅｌｌへのハンドオーバの試行数（ａ）を集計する。また、Ｄｅｔｅｃｔｅｄ  Ｃｅｌｌごとに、そのＤｅｔｅｃｔｅｄ  Ｃｅｌｌを管理する無線基地局から送信されたパイロット信号の受信電力が閾値以上であると移動端末から報告された回数（ｎ）を集計する。そして、報告数（ｎ）が閾値（ＴｈＡｄｄ）以上であるＤｅｔｅｃｔｅｄ  Ｃｅｌｌを、報告数（ｎ）が大きい無線セルから順に隣接セルリストに登録するとともに、試行数（ａ）が閾値（ＴｈＤｅｌ）以下であるＬｉｓｔｅｄ  Ｃｅｌｌを、隣接セルリストから削除することにより、隣接セルリストを更新する。【００２６】
図１１は、特許文献１等に記載されている隣接セルリスト更新方法を示す説明図である。特許文献１に記載の無線通信システムにおいては、新設してまだ通信サービスを提供していない無線基地局３０Ａが管理する無線セル（新設セル）３５Ａに測定無線機５Ａが配置されている。また、通信サービスを既に提供している無線基地局３０Ｂが管理する無線セル（既設セル）３５Ｂに移動端末１０Ｂが接続されている。【００２７】
特許文献１に記載された隣接セルリスト更新方法では、既設セルを管理する無線基地局から送信されたパイロット信号の信号強度を測定無線機５Ａが測定して無線基地局３０Ａに報告する。無線基地局３０Ａは、信号強度の測定値が閾値以上のパイロット信号を送信する無線基地局３０Ｂに対して、無線基地局３０Ａからの信号強度を、既設セル３５Ｂに接続する移動端末１０Ｂで測定し、無線基地局３０Ａに報告するように要求する。そして、無線基地局３０Ａは、閾値以上の信号強度を測定した移動端末１０Ｂが接続する既設セル３５Ｂを隣接セルリストに登録することにより、新設セル３５Ａの隣接セルリストを更新する。【００２８】
また、関連する技術として、特許文献２には、隣接セルの測定レポート待ち時間を短縮することを目的とする方法が記載されている。特許文献３には、基地局の周波数割り当てに必要な回線品質の精度を保つことを目的とする方法が記載されている。
【先行技術文献】
【特許文献】
【００２９】
【特許文献１】特許第３４６６４９９号公報
【特許文献２】特開２００８−２３６７２７号公報
【特許文献３】特開２００８−２８８８１２号公報
【非特許文献】
【００３０】
【非特許文献１】3GPP TS36.331 v8.4.0, pp. 66, 2008.
【非特許文献２】D. Soldani, “Self−optimizing Neighbor Cell List for UTRA FDD Networks Using Detected Set Reporting”, pp.694-pp.698, IEEE VTC2007.
【発明の概要】
【発明が解決しようとする課題】
【００３１】
しかしながら、非特許文献２に記載の隣接セルリスト更新方法では、隣接セルリストを更新する無線セルに接続する移動端末の報告が少ないと、信頼性の高い隣接セルの測定結果が迅速には得られない。そのため、隣接セルの登録漏れなど隣接セルリストの不備を迅速に改善するのが難しいという課題がある。【００３２】
また、特許文献１に記載の隣接セルリスト更新方法では、新設セルに配置する測定無線機と既設セルに接続する移動端末が、それぞれ既設セルと新設セルを検出したときのみ隣接セルリストを更新する。そのため、配置する測定無線機が少ないと既設セルの検出漏れが生じ、隣接セルリストに不備が生じやすいという課題がある。【００３３】
同様に、特許文献２および特許文献３に記載された方法を用いても、無線セルに接続する移動端末から信頼性の高い隣接セルの測定結果が得られない場合に、隣接セルリストの不備を迅速に改善することはできない。【００３４】
そこで、本発明は、無線セルに存在する移動端末から信頼性の高い隣接セルの測定結果が得られない場合であっても、隣接セルリストの不備を迅速に改善することができる無線通信システム、隣接セルリスト最適化システム、基地局、隣接セルリスト最適化方法および隣接セルリスト更新プログラムを提供することを目的とする。
【課題を解決するための手段】
【００３５】
本発明の無線通信システムは、第１の移動端末群と、第１の移動端末群が存在する第１のセルを管理する第１の基地局と、第１のセルに隣接する第２のセルに存在する第２の移動端末群と、第２のセルを管理する第２の基地局と、第１の移動端末群のハンドオーバ先の候補となる特定の隣接セルを登録した隣接セルリストを管理する隣接セルリスト最適化システムとを備え、第１の移動端末群は、第２のセルの無線品質を測定して、第１の基地局に第２のセルの測定情報を送信する第１の測定情報送信手段を含み、第２の移動端末群は、第１のセルの無線品質を測定して、第２の基地局に第１のセルの測定情報を送信する第２の測定情報送信手段を含み、隣接セルリスト最適化システムは、第１の基地局から第２のセルの測定情報を収集し、第２の基地局から第１のセルの測定情報を収集する測定情報収集手段と、第２のセルの測定情報の信頼度を評価する処理を行う信頼度評価手段と、信頼度が閾値以下のとき、第１のセルの測定情報に基づいて、第１のセルの隣接セルリストに第２のセルを登録する優先度を算出する優先度算出手段と、優先度算出手段が算出した優先度に基づいて、隣接セルリストに登録する隣接セルを決定し、隣接セルリストを更新する制御を行う隣接セルリスト更新手段とを含むことを特徴とする。【００３６】
本発明による隣接セルリスト最適化システムは、第１の移動端末群が存在する第１のセルを管理する第１の基地局に設定され、第１のセルに隣接して第２の移動端末群が存在する第２のセルのうち、第１の移動端末群のハンドオーバ先の候補となる特定の隣接セルを登録した隣接セルリストを更新する隣接セルリスト最適化システムであって、第１の移動端末群が第１の基地局に送信した、第２のセルの無線品質の測定情報と、第２のセルに存在する第２の移動端末群が第２のセルを管理する第２の基地局に送信した、第１のセルの無線品質の測定情報とを収集する測定情報収集手段と、第２のセルの測定情報の信頼度を評価する処理を行う信頼度評価手段と、信頼度が所定の閾値以下のとき、第１のセルの測定情報に基づいて、第１のセルの隣接セルリストに第２のセルを登録する優先度を算出する優先度算出手段と、優先度算出手段が算出した優先度に基づいて、隣接セルリストに登録する隣接セルを決定し、隣接セルリストを更新する制御を行う隣接セルリスト更新手段とを含むことを特徴とする。【００３７】
本発明による基地局は、第１の移動端末群が存在する第１のセルを管理し、自局に設定され、第１の移動端末群のハンドオーバ先の候補となる特定の隣接セルが登録された隣接セルリストを更新する第１の基地局であって、第１のセルに隣接して第２の移動端末群が存在する第２のセルを管理する第２の基地局に接続し、第１の移動端末群が当該基地局に送信した、第２のセルの無線品質の測定情報と、第２の移動端末群が第２の基地局に送信した、第１のセルの無線品質の測定情報とを収集する測定情報収集手段と、第２のセルの測定情報の信頼度を評価する処理を行う信頼度評価手段と、信頼度が所定の閾値以下のとき、第１のセルの測定情報に基づいて、第１のセルの隣接セルリストに第２のセルを登録する優先度を算出する優先度算出手段と、優先度算出手段が算出した優先度に基づいて、隣接セルリストに登録する隣接セルを決定し、隣接セルリストを更新する制御を行う隣接セルリスト更新手段とを備えたことを特徴とする。【００３８】
本発明による隣接セルリスト更新方法は、第１の移動端末群が存在する第１のセルを管理する第１の基地局に設定され、第１のセルに隣接して第２の移動端末群が存在する第２のセルのうち、第１の移動端末群のハンドオーバ先の候補となる特定の隣接セルを登録した隣接セルリストを更新する隣接セルリスト更新方法であって、第１の移動端末群が第１の基地局に送信した、第２のセルの無線品質の測定情報と、第２のセルに存在する第２の移動端末群が第２のセルを管理する第２の基地局に送信した、第１のセルの無線品質の測定情報とを収集し、収集した第２のセルの測定情報の信頼度を評価する処理を行い、評価した信頼度が所定の閾値以下のとき、第１のセルの測定情報に基づいて、第１のセルの隣接セルリストに第２のセルを登録する優先度を算出し、算出した優先度に基づいて、隣接セルリストに登録する隣接セルを決定し、隣接セルリストを更新する制御を行うことを特徴とする。【００３９】
本発明による隣接セルリスト更新プログラムは、第１の移動端末群が存在する第１のセルを管理する第１の基地局に設定され、第１のセルに隣接して第２の移動端末群が存在する第２のセルのうち、第１の移動端末群のハンドオーバ先の候補となる特定の隣接セルを登録した隣接セルリストを更新させるための隣接セルリスト更新プログラムであって、コンピュータに、第１の移動端末群が第１の基地局に送信した、第２のセルの無線品質の測定情報と、第２のセルに存在する第２の移動端末群が第２のセルを管理する第２の基地局に送信した、第１のセルの無線品質の測定情報とを収集する測定情報収集処理と、収集した第２のセルの測定情報の信頼度を評価する処理を行う信頼度評価処理と、評価した信頼度が所定の閾値以下のとき、第１のセルの測定情報に基づいて、第１のセルの隣接セルリストに第２のセルを登録する優先度を算出する優先度算出処理と、算出した優先度に基づいて、隣接セルリストに登録する隣接セルを決定し、隣接セルリストを更新する制御を行う隣接セルリスト更新処理とを実行させることを特徴とする。
【発明の効果】
【００４０】
本発明によれば、無線セルに存在する移動端末から信頼性の高い隣接セルの測定結果が得られない場合であっても、隣接セルリストの不備を迅速に改善することができる。
【図面の簡単な説明】
【００４１】
【図１】本発明の第１の実施形態の隣接セルリスト最適化システムの構成を示すブロック図である。
【図２】隣接セルリスト最適化システム１００の動作例を示すフローチャートである。
【図３】優先度算出部１０４が管理する管理情報の一例を示す説明図である。
【図４】第１の実施形態の隣接セルリスト最適化システムの効果を示す説明図である。
【図５】第１の実施形態の隣接セルリスト最適化システムの効果を示す説明図である。
【図６】第２の実施形態の隣接セルリスト最適化システムの動作を説明するフローチャートである。
【図７】第２の実施形態の隣接セルリスト最適化システムが優先度を算出する際に用いる評価関数の一例を示す説明図である。
【図８】一般的な無線通信システムの構成の一例を示す説明図である。
【図９】隣接セルリスト最適化システムを備えた無線通信システムの構成の一例を示す説明図である。
【図１０】非特許文献２に記載された隣接セルリスト更新方法を示す説明図である。
【図１１】特許文献１に記載された隣接セルリスト更新方法を示す説明図である。
【図１２】無線通信システムの最小の構成例を示すブロック図である。
【発明を実施するための形態】
【００４２】
実施形態１．
以下に、本発明を実施するための形態を図面を参照して説明する。なお、以下では、図９に示す無線通信システムにおいて、本発明による隣接セルリスト最適化システムが、無線基地局３０に設定された隣接セルリストを更新する例について記載する。そのため、図９と同様の構成については同じ符号を付し、説明を省略する。
【００４３】
図１は、本発明の第１の実施形態の隣接セルリスト最適化システムの構成を示すブロック図である。図１に示す隣接セルリスト最適化システム１００は、測定情報記憶部１０１と、設計情報記憶部１０２と、測定情報収集部１０３と、信頼度評価部１０６と、優先度算出部１０４と、隣接セルリスト更新部１０５とを含む。また、隣接セルリスト最適化システム１００は、ネットワーク監視システム９０と相互に接続されている。
【００４４】
隣接セルリスト最適化システム１００は、具体的には、プログラムに従って動作するパーソナルコンピュータ等の情報処理装置によって実現される。なお、隣接セルリスト最適化システム１００は、単一の情報処理装置に限らず、複数の情報処理装置によって実現されていてもよい。
【００４５】
測定情報記憶部１０１は、具体的には、光ディスク装置や磁気ディスク装置等の記憶装置によって実現される。測定情報記憶部１０１は、隣接セルリストを最適化する最適化対象セルに接続する移動端末１０、または最適化対象セルに隣接する隣接セルに接続する移動端末１０からの測定情報の報告を記憶する。
【００４６】
測定情報の報告とは、移動端末１０により測定され無線基地局３０に報告された、最適化対象セルの無線品質および隣接セルの無線品質の測定情報である。測定情報の具体例としては、最適化対象セルを管理する無線基地局３０および隣接セルを管理する隣接基地局３０から送信されたパイロット信号の受信電力、信号対干渉波比などがある。なお、隣接セルには、Ｌｉｓｔｅｄ  ＣｅｌｌおよびＤｅｔｅｃｔｅｄ  Ｃｅｌｌの両方が含まれる。
【００４７】
設計情報記憶部１０２は、具体的には、光ディスク装置や磁気ディスク装置等の記憶装置によって実現される。設計情報記憶部１０２は、最適化対象セルおよび隣接セルを管理する無線基地局３０の位置情報、または、これらの無線セルに関する無線カバレッジ情報を記憶する。
【００４８】
無線カバレッジ情報とは、無線セルの地理的な範囲を規定する情報である。無線カバレッジ情報については、一般に、無線セルを管理する無線基地局３０の送信電力、アンテナの設置角度などの設計情報から推定することができる。
【００４９】
測定情報収集部１０３は、具体的には、プログラムに従って動作する情報処理装置のＣＰＵによって実現される。測定情報収集部１０３は、最適化対象セルまたは隣接セルに接続する移動端末１０から無線基地局３０に報告された測定情報を収集し、測定情報記憶部１０１に格納させる機能を備えている。なお、本実施形態では、無線基地局３０には、移動端末１０に測定情報を報告させるための動作条件を予め設定しておき、移動端末１０には、下り回線を介して動作条件を報知しておくものとする。また、最適化対象セルの隣接セルは、設計情報記憶部１０２が記憶する無線基地局の位置情報、無線カバレッジ情報などに基づいて決定される。隣接セルの決定方法は、動作の説明で後述する。
【００５０】
信頼度評価部１０６は、具体的には、プログラムに従って動作する情報処理装置のＣＰＵによって実現される。信頼度評価部１０６は、隣接セルごとに、測定情報の信頼度を評価する機能を備えている。具体的には、信頼度評価部１０６は、最適化対象セルまたは隣接セルに接続する移動端末１０から報告された測定情報を測定情報記憶部１０１から抽出する。そして、信頼度評価部１０６は、抽出した測定情報に基づいて、隣接セルごとに、測定情報の信頼度を評価する。
【００５１】
優先度算出部１０４は、具体的には、プログラムに従って動作する情報処理装置のＣＰＵによって実現される。優先度算出部１０４は、隣接セルごとに、最適化対象セルの隣接セルリストに登録する優先度を算出する機能を備えている。具体的には、優先度算出部１０４は、信頼度評価部１０６が評価した測定情報の信頼度に応じて、最適化対象セルまたは隣接セルに接続する移動端末１０から報告された測定情報を測定情報記憶部１０１から抽出する。そして、優先度算出部１０４は、抽出した測定情報に基づいて、隣接セルごとに、最適化対象セルの隣接セルリストに登録する優先度を算出する。
【００５２】
隣接セルリスト更新部１０５は、具体的には、プログラムに従って動作する情報処理装置のＣＰＵによって実現される。隣接セルリスト更新部１０５は、無線基地局３０に隣接セルリストを更新させる機能を備えている。具体的には、隣接セルリスト更新部１０５は、優先度算出部１０４が算出した隣接セルごとの優先度に基づいて、更新後の隣接セルリストに登録する隣接セルを決定する。そして、隣接セルリスト更新部１０５は、更新内容を無線基地局３０に通知する。その後、無線基地局３０は、受信した更新内容に基づいて、隣接セルリストを更新する。なお、隣接セルリストの初期値としては、例えは、設計情報記憶部１０２を参照して、最適化対象セルを管理する無線基地局３０と他の無線基地局３０との距離を評価し、距離が近い順に抽出した無線基地局３０が管理する無線セルを含むリストとしても構わない。または、隣接セルリストの初期値は、空の隣接セルリストであっても構わない。
【００５３】
次に、隣接セルリスト最適化システム１００の動作を説明する。図２は、隣接セルリスト最適化システム１００の動作例を示すフローチャートである。
【００５４】
最初に、測定情報収集部１０３は、隣接セルリスト最適化システム１００が監視対象としている（以下、隣接セルリスト最適化システム１００の配下にあるとも表現する）全ての無線基地局３０に対して、移動端末１０に隣接セルの測定情報を報告させるための動作条件を設定する。無線基地局３０に設定された動作条件は、下り回線を介して移動端末１０に報知される。具体的には、測定情報収集部１０３は、各無線基地局３０に動作条件を示す情報を送信する。すると、無線基地局３０は、測定情報収集部１０３から受信した情報に基づいて動作条件を設定するとともに、下り回線を介してその情報を移動端末１０に送信する。そして、移動端末１０は、無線基地局３０から受信した情報に基づいて動作条件を設定する。
【００５５】
次いで、測定情報収集部１０３は、報知された動作条件に従い移動端末１０が無線基地局３０に報告した隣接セルの測定情報を収集し、測定情報記憶部１０１に格納させる（ステップＳ１０１）。
【００５６】
具体的には、移動端末１０は、動作条件に従って、無線セルの無線品質および隣接セルの無線品質を測定し、測定した測定情報を無線基地局３０に送信する。すると、無線基地局３０は、受信した測定情報を一時的に蓄積する。そして、測定情報収集部１０３は、無線基地局３０が蓄積する測定情報を収集する。ここでは、測定情報収集部１０３が所定期間ごとに無線基地局３０が蓄積する情報を抽出するようにしてもよいし、無線基地局３０が移動端末１０から受信した測定情報を自動的に測定情報収集部１０３に転送するようしてもよい。その後、測定情報収集部１０３は、収集した測定情報を測定情報記憶部１０１に格納させる。なお、測定情報の報告の動作条件については、本フローチャートの説明の末尾で後述する。
【００５７】
ステップＳ１０１において、無線基地局３０から測定情報を収集した後、測定情報収集部１０３は、最適化対象セル（Ｘ）を選択する（ステップＳ１０２）。さらに、測定情報収集部１０３は、最適化対象セルの隣接セルを抽出して任意の隣接セル（Ｙ）を選択する（ステップＳ１０３）。
【００５８】
ステップＳ１０２において最適化対象セルを選択するときには、測定情報収集部１０３は、例えば、隣接セルリスト最適化システム１００の配下にある全ての無線基地局３０を逐次選択する。または、測定情報収集部１０３は、新たに設置した無線基地局が管理する無線セルを選択しても構わない。または、測定情報収集部１０３は、ハンドオーバの失敗率が閾値以上である無線セルを通信品質が劣化した無線セルとして検出し、そのような無線セルを選択しても構わない。
【００５９】
ステップＳ１０３において最適化対象セルＸの隣接セルを抽出するときには、測定情報収集部１０３は、例えば、最適化対象セルＸを管理する無線基地局３０からの距離が閾値以内にある無線基地局３０を全て抽出する。そして、測定情報収集部１０３は、抽出した無線基地局が管理する無線セルを隣接セルとして抽出する。または、測定情報収集部１０３は、無線カバレッジが最適化対象セルＸと閾値以上の面積で重複する全ての無線セルを隣接セルとして抽出しても構わない。
【００６０】
次いで、ステップＳ１０２、ステップＳ１０３において最適化対象セルＸとその隣接セルＹとを選択した後、信頼度評価部１０６は、測定情報記憶部１０１が記憶する、最適化対象セルＸに接続する移動端末から収集した測定情報を参照する（ステップＳ１０４）。そして、信頼度評価部１０６は、隣接セルＹの測定情報の信頼度を評価する（ステップＳ１０５）。
【００６１】
信頼度評価部１０６は、隣接セルＹの測定情報の信頼度を、例えば、最適化対象セルＸに接続する移動端末１０からセルＸを管理する無線基地局３０に報告された、隣接セルＹの測定情報の報告数（ｎＸＹ）に基づいて評価する。すなわち、報告数（ｎＸＹ）が閾値（Ｔｈｎ）より大きな場合に、信頼度評価部１０６は、隣接セルＹの測定情報の信頼性が高いと判定する。
【００６２】
ステップＳ１０５において、最適化対象セルＸを管理する無線基地局３０から収集した隣接セルＹの測定情報の信頼性が低いと判定した場合、すなわち、移動端末１０からの報告数（ｎＸＹ）が閾値（Ｔｈｎ）以下の場合を想定する。この場合には、信頼度評価部１０６は、測定情報記憶部１０１が記憶する、隣接セルＹに接続する移動端末から収集した測定情報を参照し（ステップＳ１０７）、最適化対象セルＸの測定情報の信頼度を評価する（ステップＳ１０８）。
【００６３】
信頼度評価部１０６は、最適化対象セルＸの測定情報の信頼度を、隣接セルＹの測定情報の信頼度と同様に、例えば、隣接セルＹに接続する移動端末１０からセルＹを管理する無線基地局３０に報告された、最適化対象セルＸの測定情報の報告数（ｎＸＹ）によって評価する。すなわち、報告数（ｎＸＹ）が閾値（Ｔｈｎ）より大きな場合に、信頼度評価部１０６は、最適化対象セルＸの測定情報の信頼性が高いと判定する。
【００６４】
ステップＳ１０８において、最適化対象セルＸの測定情報の信頼性が低いと判定した場合、すなわち、移動端末１０からの報告数（ｎＸＹ）が閾値（Ｔｈｎ）以下の場合には、信頼度評価部１０６は、選択している隣接セルＹを破棄してステップＳ１１０に処理を移行する。
【００６５】
一方、ステップＳ１０８において、最適化対象セルＸの測定情報の信頼性が高いと判定した場合には、優先度算出部１０４は、隣接セルＹに接続する移動端末から収集した測定情報に基づいて、隣接セルＹの優先度（ＲＹＸ）を算出する（ステップＳ１０９）。
【００６６】
また、ステップＳ１０５において、隣接セルＹの測定情報の信頼性が高いと判定した場合には、優先度算出部１０４は、最適化対象セルＸに接続する移動端末から収集した測定情報に基づいて、隣接セルＹの優先度（ＲＸＹ）を算出する（ステップＳ１０６）。優先度ＲＹＸおよびＲＹＸの算出方法の詳細については、図３を用いて後述する。
【００６７】
この処理により、本実施形態では、隣接リストを最適化する対象のセルの基地局に接続されている移動端末（以下、セルの配下の移動端末とも表現する）から十分な測定情報を取得できない場合であっても、隣接するセルの配下の移動端末から十分な測定情報を取得できれば、隣接リストを迅速に最適化することができる。
【００６８】
隣接セルリスト最適化システム１００は、以上のステップＳ１０３からステップＳ１０９の処理を、測定情報収集部１０３が抽出した全ての隣接セルについて実行する（ステップＳ１１０）。その後、隣接セルリスト更新部１０５は、ステップＳ１０６またはステップＳ１０９において算出した優先度（ＲＹＸ、ＲＹＸ）に基づいて、更新後の隣接セルリストに登録する無線セルを決定する（ステップＳ１１１）。
【００６９】
具体的には、隣接セルリスト更新部１０５は、隣接セルリストに登録可能な無線セル数（ＬＭａｘ）を上限として、優先度が大きい順に隣接セルを抽出し、抽出した隣接セルを更新後の隣接セルリストに登録する無線セルとする。このとき、隣接セルリスト更新部１０５は、優先度が閾値（ＴｈＤｅｌ）以下の隣接セルを、隣接セルリストに登録する対象から除外しても構わない。
【００７０】
隣接セルリスト更新部１０５は、さらに、隣接セルリストの更新内容を無線基地局３０に通知して、隣接セルリストを更新させ（ステップＳ１１２）、処理を終了する。具体的には、隣接セルリスト更新部１０５が隣接セルリストの更新内容を示す情報を無線基地局３０に送信すると、無線基地局３０は、受信した更新内容を示す情報に従って、記憶している隣接セルリストを更新する。
【００７１】
次に、測定情報の報告の動作条件を説明する。本実施形態では、動作条件として、非特許文献２に記載の数式（１）を用いた例について説明する。
【００７２】
数式（１）のトリガ条件をハンドオーバの実行判定に用いる場合には、通常、移動端末１０は、隣接セルリストに登録されたＬｉｓｔｅｄ  Ｃｅｌｌの無線品質を測定する。一方、本実施形態においては、測定情報収集部１０３は、移動端末１０に対して、Ｌｉｓｔｅｄ  ＣｅｌｌおよびＤｅｔｅｃｔｅｄ  Ｃｅｌｌの無線品質の測定を要求する。
【００７３】
なお、本実施形態においては、測定情報の報告のトリガ条件として、ハンドオーバの実行判定と同じ条件を用いる例を示している。ただし、より多くの移動端末から測定情報の報告が得られるように、パラメータＴｈＨＯをハンドオーバの実行判定のために設定する値より小さな値に設定して、ハンドオーバを行わない移動端末からも測定情報を報告させるなど、ハンドオーバの実行判定のためのハンドオーバ閾値とは異なる値をトリガ条件として設定しても構わない。
【００７４】
さらに、本実施形態においては、最適化対象セルを管理する無線基地局と隣接セルを管理する無線基地局とに同じトリガ条件を設定する例を示しているが、双方の無線基地局に、互いに異なるトリガ条件を設定しても構わない。例えば、パラメータＴｈＨＯをハンドオーバの実行判定に用いる値より小さな値に設定すると、更新後の隣接セルリストの中にハンドオーバに不要なセルが登録される可能性がある。そのため、最適化対象セルを管理する無線基地局には、ハンドオーバの実行判定に用いる値をパラメータＴｈＨＯに設定し、隣接セルを管理する無線基地局には、ハンドオーバの実行判定に用いる値より小さな値をパラメータＴｈＨＯに設定するなど、互いに異なるトリガ条件を設定しても構わない。
【００７５】
また、本実施形態においては、測定情報収集部１０３は、最適化対象セルに接続する全ての移動端末１０に対して、無線品質の測定を要求する例を示している。しかし、最適化対象セルに接続する移動端末１０の中から一定の割合で無作為に抽出した移動端末１０にのみ測定を要求するなど、最適化対象セルに接続する移動端末１０の一部に測定を要求するようにしても構わない。
【００７６】
また、本実施形態においては、同一の移動端末１０にＬｉｓｔｅｄ  ＣｅｌｌおよびＤｅｔｅｃｔｅｄ  Ｃｅｌｌ両方の無線品質の測定を要求する例を示している。しかし、Ｌｉｓｔｅｄ  Ｃｅｌｌの無線品質の測定を要求した移動端末１０のうち一部の移動端末１０に、Ｄｅｔｅｃｔｅｄ  Ｃｅｌｌの無線品質の測定も要求するなど、特定の移動端末が片方の無線セルの無線品質のみを測定するようにしても構わない。
【００７７】
また、本実施形態においては、無線品質として無線基地局３０から送信されたパイロット信号の受信電力を測定する例を示しているが、信号対干渉波比などの他の無線品質の指標を測定するようにしても構わない。
【００７８】
また、本実施形態においては、動作条件として数式（１）のトリガ条件を用いた例を示している。一方、動作条件として、例えば、Ｐｔが閾値以上である場合や、隣接基地局３０から送信されたイロット信号の信号対干渉波比が所定の閾値以上である場合に、移動端末１０に報告を行わせるなど、他の条件を用いても構わない。
【００７９】
次に、優先度の算出方法を説明する。図３は、測定情報記憶部１０１が格納する測定情報に基づいて、優先度算出部１０４が管理する管理情報の一例を示す説明図である。
【００８０】
図３に示すように、優先度算出部１０４は、最適化対象セルＸに接続する移動端末１０が隣接セルＹの無線品質を報告した回数（ｎＸＹ）を隣接セルごとに集計した集計テーブル１１１を管理情報として管理する。また、優先度算出部１０４は、隣接セルＹに接続する移動端末１０が最適化対象セルＸの無線品質を報告した回数（ｎＹＸ）を隣接セルごとに集計した集計テーブル１１２を管理情報として管理する。なお、優先度算出部１０４は、パイロット信号の受信電力が閾値以上である報告のみを集計する。
【００８１】
具体的には、優先度算出部１０４は、所定期間ごとに測定情報記憶部１０１を参照し、回数（ｎＸＹ）および回数（ｎＹＸ）を隣接セルごとに集計する。そして、優先度算出部１０４は、集計結果を集計テーブル１１１または集計テーブル１１２として記憶部に格納する。なお、優先度算出部１０４は、集計テーブル１１１及び集計テーブル１１２を測定情報記憶部１０１に格納するようにしてもよいし、優先度算出部１０４が記憶部を備えておき、その記憶部に格納するようにしてもよい。
【００８２】
優先度算出部１０４は、所定期間に集計した隣接セルごとの測定情報の報告数に基づいて、隣接セルリストに登録する隣接セルの優先度を評価する。優先度算出部１０４は、例えば、ステップＳ１０６で算出する優先度（ＲＸＹ）と、ステップＳ１０９で算出する優先度（ＲＹＸ）とを、数式（３）を用いて算出する。
【００８３】
ＲＸＹ＝ｎＸＹ／Σｉ（ｎＸｉ）
ＲＹＸ＝ｎＹＸ／Σｉ（ｎｉＸ）    数式（３）
【００８４】
ここで、ｎＸｉは、最適化対象セルＸに接続する移動端末から隣接セルｉの測定情報が報告された回数である。また、ｎｉＸは、隣接セルｉに接続する移動端末から最適化対象セルＸの測定情報が報告された回数である。Σ（ｎＸｉ）は、最適化対象セルＸに接続する移動端末から報告された測定情報の報告数の総和である。また、Σ（ｎｉＸ）は、最適化対象セルＸの隣接セルから収集した、最適化対象セルＸに関する測定情報の報告数の総数である。
【００８５】
このように、本実施形態によれば、隣接セルリスト最適化システム１００は、最適化対象セルＸを管理する無線基地局３０から収集した隣接セルＹの測定情報の信頼性が低い場合に、隣接セルＹを管理する無線基地局３０から収集した測定情報に基づいて、最適化対象セルＸの隣接セルリストに隣接セルＹを登録する優先度（ＲＹＸ）を算出する。そして、隣接セルリスト最適化システム１００は、算出した優先度（ＲＹＸ）に基づいて、隣接セルＹを隣接セルリストに登録するか否かを判断する。
【００８６】
そのため、最適化対象セルＸに接続する移動端末が少ない場合であっても、隣接セルＹに接続する移動端末が多ければ、隣接セルの登録漏れなど隣接セルリストの不備を迅速に改善することができる。一方で、隣接セルを管理する無線基地局３０から収集した測定情報に基づいて、最適化対象セルＸの隣接セルリストに登録した隣接セルのうち、不要な隣接セルについては、最適化対象セルＸに接続する移動端末からの測定情報の報告が増えた時点で、隣接セルリストから除外することができる。
【００８７】
図４および図５は、このような不要な隣接セルの一例を示す説明図である。
【００８８】
図４は、無線セルが高速道路をカバーする場合を示している。このような環境では、自動車１６０の内部に位置して自動車１６０とともに移動する移動端末は、無線セル３５Ｂから無線セル３５Ａへの片方向しかハンドオーバしない。そのため、無線セル３５Ａの隣接セルリストに無線セル３５Ｂを登録する必要はない。本実施形態では、無線セル３５Ａに接続する移動端末からの測定情報の報告が少ないときに、無線セル３５Ａの隣接セルリストに無線セル３５Ｂが登録される場合がある。しかし、無線セル３５Ａに接続する移動端末からの測定情報の報告が増えた時点で、無線セル３５Ａに接続する移動端末からの測定情報に基づいて、無線セル３５Ａの隣接セルリストから無線セル３５Ｂを除外することができる。
【００８９】
図５は、無線セル３５Ａと無線セル３５Ｂとの間に、信号強度が強い無線セル３５Ｃのパイロット信号が割り込む場合を示している。このような環境では、無線セル３５Ａに接続する移動端末１０Ａが無線セル３５Ｂに移動するときに、無線セル３５Ａから無線セル３５Ｂに直接ハンドオーバせずに、無線セル３５Ｃを経由して無線セル３５Ｂにハンドオーバする。そのため、無線セル３５Ａの隣接セルリストに無線セル３５Ｂを登録する必要はない。本実施形態では、無線セル３５Ａに接続する移動端末からの測定情報の報告が少ないときに、無線セル３５Ｂに接続する移動端末１０Ｂが無線セル３５Ａの測定情報を無線基地局３０Ｂに報告すると、無線セル３５Ａの隣接セルリストに無線セル３５Ｂが登録される場合がある。しかし、無線セル３５Ａに接続する移動端末からの測定情報の報告が増えた時点で、無線セル３５Ａに接続する移動端末からの測定情報に基づいて、無線セル３５Ａの隣接セルリストから無線セル３５Ｂを除外することができる。
【００９０】
実施形態２．
本実施形態の隣接セルリスト最適化システム２００は、第１の実施形態と比較して、次の点で異なる。本実施形態では、最適化対象セルを管理する無線基地局３０から収集した測定情報に基づいて算出した優先度と、最適化対象セルの隣接セルを管理する無線基地局３０から収集した測定情報に基づいて算出した優先度との加重平均により、最適化対象セルの隣接セルリストに隣接セルを登録する優先度を算出する。
【００９１】
図６は、隣接セルリスト最適化システム２００の動作例を示すフローチャートである。なお、図６において、図２と同様の処理については同じ符号を付し、説明を省略する。
【００９２】
本実施形態では、ステップＳ１０４の後に、優先度算出部１０４は、最適化対象セルＸを管理する無線基地局３０から収集した隣接セルＹの測定情報の信頼性に関わらず、隣接セルＹの優先度（ＲＸＹ）を算出する（ステップＳ１０６）。その後、優先度算出部１０４は、処理をステップＳ１０５に移行する。
【００９３】
ステップＳ１０５において、最適化対象セルＸを管理する無線基地局３０から収集した隣接セルＹの測定情報の信頼性が高いと判定した場合には、優先度算出部１０４は、隣接セルＹの優先度（ＲＹ）として優先度（ＲＸＹ）を採用する（ステップＳ２００）。
【００９４】
一方、ステップＳ１０５において、最適化対象セルＸを管理する無線基地局３０から収集した隣接セルＹの測定情報の信頼性が低いと判定した場合について説明する。この場合には、優先度算出部１０４は、最適化対象セルＸを管理する無線基地局３０から収集した隣接セルＹの測定情報の信頼性に基づく加重係数（ｗ）を決定する（ステップＳ２０１）。
【００９５】
次いで、優先度算出部１０４は、最適化対象セルＸを管理する無線基地局３０から収集した隣接セルＹの測定情報に基づいて算出した優先度（ＲＸＹ）と、隣接セルＹを管理する無線基地局３０から収集した最適化対象セルＸの測定情報に基づいて算出した優先度（ＲＹＸ）との加重平均により、最適化対象セルＸの隣接セルリストに隣接セルＹを登録する優先度（ＲＹ）を算出する（ステップＳ２０２）。
【００９６】
優先度算出部１０４は、優先度の加重平均値（ＲＹ）を、例えば、数式（４）を用いて算出することができる。
【００９７】
ＲＹ＝ｗ・ＲＸＹ＋（１−ｗ）・ＲＹＸ    数式（４）
【００９８】
例えば、図７に示す評価関数を用いて加重係数（ｗ）を決定することができる。図７に示すように、加重係数（ｗ）は、最適化対象セルＸを管理する無線基地局３０から収集した隣接セルＹの測定情報の報告数（ｎＸＹ）を入力とする評価関数の出力として求められる。
【００９９】
なお、評価関数は、０以上１以下の範囲で、測定情報の信頼度の増加に応じて出力が増加する関数であればよく、必ずしも報告数の増加に応じて線形に増加する関数である必要はない。例えば、最適化対象セルを設置した後、時間の経過と共にセル内部の移動端末が増加し、測定情報の信頼性が増加する環境では、数式（５）のような評価関数を用いても構わない。ここでは、α（α＞１）、β（β＞０）が定数であり、ｔが最適化対象セルを設置した後の経過時間である。
【０１００】
ｗ＝１−α−β・ｔ    数式（５）
【０１０１】
本実施形態では、隣接セルリスト最適化システム１００は、以上のステップＳ１０３からステップＳ２０２またはＳ２００の処理を、測定情報収集部１０３が抽出した全ての隣接セルについて実行する（ステップＳ１１０）。
【０１０２】
次いで、隣接セルリスト更新部１０５は、隣接セルリストに登録可能な無線セル数（ＬＭａｘ）を上限として、ステップＳ２００またはステップＳ２０２において算出した優先度（ＲＹ）が大きい順に隣接セルを抽出する。そして、隣接セルリスト更新部１０５は、抽出した隣接セルを更新後の隣接セルリストに登録する無線セルとする（ステップＳ２０３）。
【０１０３】
このように、本実施形態によれば、隣接セルリスト最適化システム２００は、最適化対象セルＸを管理する無線基地局３０から収集した隣接セルＹの測定情報に基づいて、優先度（ＲＸＹ）を算出する。また、隣接セルリスト最適化システム２００は、隣接セルＹを管理する無線基地局３０から収集した最適化対象セルＸの測定情報に基づいて優先度（ＲＹＸ）を算出する。そして、隣接セルリスト最適化システム２００は、算出した優先度（ＲＸＹ）と優先度（ＲＹＸ）との加重平均により、最適化対象セルＸの隣接セルリストに隣接セルＹを登録する優先度（ＲＹ）を算出する。
【０１０４】
例えば、最適化対象セルＸを管理する無線基地局３０から収集した測定情報に基づいて決定した優先度（ＲＸＹ）と、隣接セルＹを管理する無線基地局３０から収集した測定情報に基づいて決定した優先度（ＲＹＸ）との差異が大きな場合を想定する。この場合、第１の実施形態では、採用する優先度を切り替える際に隣接セルの優先順位に急激な変化が生じて隣接セルリストの構成が大きく変わり、ネットワークが不安定になる可能性がある。
【０１０５】
これに対し、本実施形態では、最適化対象セルＸを管理する無線基地局３０から収集した隣接セルＹの測定情報の信頼性に応じて、優先度（ＲＸＹ）と優先度（ＲＹＸ）とを緩やかに切り替えることができるため、ネットワークをより安定に保つことができる。
【０１０６】
なお、本発明は、図９に示す無線通信システムに限定されるものではなく、本発明の基本的技術思想を逸脱しない範囲で適用することができる。例えば、本発明は、移動通信コア網５０と無線基地局３０との間に無線基地局制御装置を備える無線通信システムや、隣接セルリスト最適化システムの機能が無線基地局制御装置、無線基地局３０、またはネットワーク監視システムの内部に組み込まれた無線通信システムにも適用することができる。さらには、本発明は、隣接セルリスト最適化システムと無線基地局３０との間に無線基地局管理装置が備わる場合にも適用することができる。
【０１０７】
また、隣接セルリスト最適化システムが、移動端末１０により測定された無線品質の測定情報の集計結果を管理する例について記載したが、基地局制御装置、無線基地局３０、またはネットワーク監視システムの内部で管理しても構わない。また、移動端末１０が備えている無線品質の測定機能と同等の機能を無線基地局３０が備えている場合には、無線基地局３０が無線品質の測定を行っても構わない。
【０１０８】
また、上述の第１および第２の実施形態においては、無線通信システムが無線基地局３０とは別に隣接セルリスト最適化システムを備え、無線基地局３０に設定される隣接セルリストを隣接セルリスト最適化システムが更新する例を説明したが、本発明はこれに限られるものではない。例えば、無線基地局３０が隣接セルリスト最適化システムと同様の処理を実行し、自局に設定された隣接セルリストを更新することも可能である。
【０１０９】
無線基地局３０は、測定情報および無線カバレッジ情報のいずれも収集または記憶が可能である。無線基地局３０は、これらの情報に基づいて隣接セルの優先度を算出し、算出した優先度に基づいて自局に設定された隣接セルリストに登録する無線セルを決定し、隣接セルリストを更新することができる。
【０１１０】
本発明によれば、非特許文献２に記載された方法のように、隣接セルリストを更新する無線セルに接続する移動端末の測定情報のみを用いて隣接セルを決定するのではなく、隣接セルリストを更新する無線セルに接続する移動端末から取得した測定情報の信頼度を評価する。そして、信頼度が十分ではない場合には、隣接セルリストを更新する無線セルの隣接セルに接続する移動端末から取得した測定情報に基づき、隣接セルリストに登録する隣接セルを決定する。
【０１１１】
また、本発明によれば、特許文献１に記載された方法のように、隣接セルリストを更新する無線セルに配置された測定無線機と、隣接セルに接続する移動端末とが、それぞれ隣接セルと無線セルとを互いに検出したときのみ、無線セルの隣接セルリストに隣接セルを登録するのではなく、隣接セルに接続する移動端末の測定情報のみに基づき、隣接セルリストに登録する隣接セルを決定する動作を含む。
【０１１２】
従って、隣接セルリストを更新する無線セルの隣接セルに接続する移動端末を併用して、信頼性が高い測定情報を迅速に確保するため、隣接セルの登録漏れなど隣接セルリストの不備を迅速に改善することができるという効果が得られる。
【０１１３】
また、隣接セルリストを更新する無線セルに配置した測定無線機の測定結果に制限されずに、隣接セルリストに登録する隣接セルを決定する。そのため、配置する測定無線機が少ないときでも、生成する隣接セルリストに登録漏れなどの不備が生じ難いという効果が得られる。
【０１１４】
次に、本発明による無線通信システムの最小構成を説明する。図１２は、無線通信システムの最小の構成例を示すブロック図である。図１２に示すように、無線通信システムは、第１の移動端末群１００１と、第１の移動端末群１００１が存在する第１のセルを管理する第１の基地局２００１と、第１のセルに隣接する第２のセルに存在する第２の移動端末群１００２と、第２のセルを管理する第２の基地局２００２と、第１の移動端末群のハンドオーバ先の候補となる特定の隣接セルを登録した隣接セルリストを管理する隣接セルリスト最適化システム３０００とを備えている。
【０１１５】
また、第１の移動端末群１００１は、第２のセルの無線品質を測定して、第１の基地局２００１に第２のセルの測定情報を送信する第１の測定情報送信手段１０１１を含む。また、第２の移動端末群１００２は、第１のセルの無線品質を測定して、第２の基地局２００２に第１のセルの測定情報を送信する第２の測定情報送信手段１０１２を含む。
【０１１６】
また、隣接セルリスト最適化システム３０００は、測定情報収集手段３００１と、信頼度評価手段３００２と、優先度算出手段３００３と、隣接セルリスト更新手段３００４とを含む。
【０１１７】
図１２に示す最小構成の無線通信システムでは、測定情報収集手段３００１は、第１の基地局２００１から第２のセルの測定情報を収集し、第２の基地局２００２から第１のセルの測定情報を収集する。次いで、信頼度評価手段３００２は、測定情報収集手段３００１が収集した第２のセルの測定情報の信頼度を評価する処理を行う。次いで、優先度算出手段３００３は、信頼度評価手段３００２が評価した信頼度が所定の閾値以下のとき、第１のセルの測定情報に基づいて、第１のセルの隣接セルリストに第２のセルを登録する優先度を算出する。次いで、隣接セルリスト更新手段３００４は、優先度算出手段３００３が算出した優先度に基づいて、隣接セルリストに登録する隣接セルを決定し、隣接セルリストを更新する制御を行う。
【０１１８】
従って、最小構成の無線通信システムによれば、無線セルに存在する移動端末から信頼性の高い隣接セルの測定結果が得られない場合であっても、隣接セルリストの不備を迅速に改善することができる。
【０１１９】
なお、本実施形態では、以下の（１）〜（１０）に示すような無線通信システムの特徴的構成が示されている。
【０１２０】
（１）無線通信システムは、第１の移動端末群（例えば、移動端末１０Ａ）と、第１の移動端末群が存在する第１のセル（例えば、最適化対象セル３５Ａ）を管理する第１の基地局（例えば、無線基地局３０Ａ）と、第１のセルに隣接する第２のセル（例えば、隣接セル３５Ｂ）に存在する第２の移動端末群（例えば、移動端末１０Ｂ）と、第２のセルを管理する第２の基地局（例えば、無線基地局３０Ｂ）と、第１の移動端末群のハンドオーバ先の候補となる特定の隣接セルを登録した隣接セルリストを管理する隣接セルリスト最適化システム（例えば、隣接セルリスト最適化システム１００）とを備え、第１の移動端末群は、第２のセルの無線品質を測定して、第１の基地局に第２のセルの測定情報を送信する第１の測定情報送信手段（例えば、移動端末１０Ａが動作条件に従って処理を実行することによって実現される）を含み、第２の移動端末群は、第１のセルの無線品質を測定して、第２の基地局に第１のセルの測定情報を送信する第２の測定情報送信手段（例えば、移動端末１０Ｂが動作条件に従って処理を実行することによって実現される）を含み、隣接セルリスト最適化システムは、第１の基地局から第２のセルの測定情報を収集し、第２の基地局から第１のセルの測定情報を収集する測定情報収集手段（例えば、測定情報収集部１０３によって実現される）と、第２のセルの測定情報の信頼度を評価する処理を行う信頼度評価手段（例えば、信頼度評価部１０６によって実現される）と、信頼度が所定の閾値以下のとき、第１のセルの測定情報に基づいて、第１のセルの隣接セルリストに第２のセルを登録する優先度を算出する優先度算出手段（例えば、優先度算出部１０４によって実現される）と、優先度算出手段が算出した優先度に基づいて、隣接セルリストに登録する隣接セルを決定し、隣接セルリストを更新する制御を行う隣接セルリスト更新手段（例えば、隣接セルリスト更新部１０５によって実現される）とを含むことを特徴とする。
【０１２１】
（２）無線通信システムにおいて、信頼度評価手段は、所定の集計期間において第２のセルの測定情報の受信数を集計し（例えば、図３に示す集計テーブルを用いる）、集計した受信数に基づいて第２のセルの測定情報の信頼度を評価する処理を行うように構成されていてもよい。
【０１２２】
（３）無線通信システムにおいて、優先度算出手段は、信頼度が所定の閾値以下のとき、所定の集計期間において第１のセルの測定情報の受信数を集計し、集計した受信数に基づいて第２のセルの優先度を算出するように構成されていてもよい。
【０１２３】
（４）無線通信システムにおいて、優先度算出手段は、信頼度が所定の閾値以下のとき、第１のセルの測定情報の受信数に基づき算出した第１の優先度と、所定の集計期間において第２のセルの測定情報の受信数を集計し、集計した受信数に基づき算出した第２の優先度とを加重平均し、第２の優先度の加重平均値（例えば、数式（４）を用いて算出する）に基づいて、第２のセルの優先度を算出するように構成されていてもよい。
【０１２４】
（５）無線通信システムにおいて、優先度算出手段は、第２のセルの測定情報の信頼度に基づいて加重平均の加重係数（例えば、加重係数ｗ）を決定するように構成されていてもよい。
【０１２５】
（６）無線通信システムにおいて、優先度算出手段は、第１のセルが設置された後の経過時間に基づいて加重平均の加重係数を決定する（例えば、数式（５）を用いて算出する）ように構成されていてもよい。
【０１２６】
（７）無線通信システムにおいて、第１の測定情報送信手段は、測定した無線品質が所定の品質用閾値を超えているときに、第１の基地局に対して、第２のセルの測定情報を送信し、第２の測定情報送信手段は、測定した無線品質が所定の品質用閾値を超えているときに、第２の基地局に対して、第１のセルの測定情報を送信し、測定情報収集手段は、信頼度が所定の閾値以下のとき、第１のセルの測定情報が増加するように、第２の基地局に対して所定の品質用閾値をハンドオーバ用の閾値より低い値に設定するように構成されていてもよい。
【０１２７】
（８）無線通信システムにおいて、第１の測定情報送信手段は、第２の基地局が送信する第１のパイロット信号について、受信電力または信号対干渉波比の少なくとも１つを測定し、第２の測定情報送信手段は、第１の基地局が送信する第２のパイロット信号について、受信電力または信号対干渉波比の少なくとも１つを測定するように構成されていてもよい。
【０１２８】
（９）無線通信システムにおいて、第１の測定情報送信手段は、第１のパイロット信号の受信電力、第１のパイロット信号の信号対干渉波比、第２のパイロット信号の受信電力に対する第１のパイロット信号の受信電力の比、第２のパイロット信号の信号対干渉波比に対する第１のパイロット信号の信号対干渉波比の比、のうちの少なくとも１つが所定の品質用閾値を超えている場合に、第２のセルの測定情報を第１の基地局に送信するように構成されていてもよい。
【０１２９】
（１０）無線通信システムにおいて、第２の測定情報送信手段は、第２のパイロット信号の受信電力、第２のパイロット信号の信号対干渉波比、第１のパイロット信号の受信電力に対する第２のパイロット信号の受信電力の比、第１のパイロット信号の信号対干渉波比に対する第２のパイロット信号の信号対干渉波比の比、のうちの少なくとも１つが所定の品質用閾値を超えている場合に、第１のセルの測定情報を第２の基地局に送信するように構成されていてもよい。
【０１３０】
以上、実施形態及び実施例を参照して本願発明を説明したが、本願発明は上記実施形態および実施例に限定されるものではない。本願発明の構成や詳細には、本願発明のスコープ内で当業者が理解し得る様々な変更をすることができる。
【０１３１】
この出願は、２０１０年６月１６日に出願された日本特許出願２０１０−１３７２８１を基礎とする優先権を主張し、その開示の全てをここに取り込む。
【産業上の利用可能性】
【０１３２】
本発明は、移動通信網におけるネットワーク監視システムやエリア設計システムに適用可能である。
【符号の説明】
【０１３３】
５  測定無線機
１０  移動端末
３０  無線基地局
５０  移動通信コア網
７０  外部網
９０  ネットワーク監視システム
９５，１００，２００，３０００  隣接セルリスト最適化システム
１０１  測定情報記憶部
１０２  設計情報記憶部
１０３  測定情報収集部
１０４  優先度算出部
１０５  隣接セルリスト更新部
１０６  信頼度評価部
１６０  自動車
１００１  第１の移動端末群
１０１１  第１の測定情報送信手段
１００２  第２の移動端末群
１０１２  第２の測定情報送信手段
２００１  第１の基地局
２００２  第２の基地局
３００１  測定情報収集手段
３００２  信頼度評価手段
３００３  優先度算出手段
３００４  隣接セルリスト更新手段
【図１】
2011158501.tif 000003
【図２】
2011158501.tif 000004
【図３】
2011158501.tif 000005
【図４】
2011158501.tif 000006
【図５】
2011158501.tif 000007
【図６】
2011158501.tif 000008
【図７】
2011158501.tif 000009
【図８】
2011158501.tif 000010
【図９】
2011158501.tif 000011
【図１０】
2011158501.tif 000012
【図１１】
2011158501.tif 000013
【図１２】
2011158501.tif 000014
【国際調査報告】
2011158501.tif 000015
2011158501.tif 000016